(57)【要約】【課題】シートが引き出しやすく、且つ常に良好に切断しうるシート包装箱を提供する。【解決手段】本体１００の前面板２０に第１の突出片２３を有するシート包装箱において、前面板２０の上縁２２に連なり、該上縁２２を折り部として折り返して前面板２０の裏面に接着される内面板９０に第２の突出片９１を形成し、該第２の突出片９１を形成する切断線９１ａの両端部を、上記上縁２２を越えて前面板２０側に至るまで延ばす。【選択図】図１
2016049992.tif 000002
【特許請求の範囲】
【請求項１】
底面板と、前記底面板の四方にそれぞれ折り部を介して連なると共に前記折り部を介して折り曲げて前記底面板より立ち上げられた前面板と左右の側面板と背面板と、前記前面板の上縁に折り部を介して連なると共に前記折り部を介して内側に折り返されて前記前面板の裏面に接着された内面板と、を有し、長尺シートの捲回ロールを収納する箱形の本体と、
前記背面板の上縁に折り部を介して連なると共に前記折り部を介して折り曲げることにより前記本体の上面開口を覆う上面板と、前記上面板の前縁に折り部を介して連なると共に前記折り部を介して折り曲げることにより前記前面板の外側に重なる懸垂板とを有し、前記本体の背面板の上縁から回動可能に連接されている蓋体と、
前記懸垂板の下端に取り付けられた切断刃と、を備え、
前記前面板に、前記前面板の上縁から下方に向かって突出する形状に切断されて形成された第１の突出片を有するシート包装箱において、
前記内面板の前記第１の突出片に重なる領域内に、前記内面板の上縁から下方に向かって突出する形状に切断されて形成された第２の突出片を有し、前記第２の突出片を形成する切断線の両端部が前記内面板と前記前面板とが連なる折り部を越えて前記前面板側にいたることを特徴とするシート包装箱。
【請求項２】
前記第２の突出片を形成する切断線の両端部が、前記前面板内において、互いに近づく方向に湾曲していることを特徴とする請求項１に記載のシート包装箱。
【請求項３】
前記懸垂板の下端が、前記懸垂板の上端に平行な直線であり、前記第１の突出片及び第２の突出片が、前記前面板及び内面板の幅方向の少なくとも一方の端部近傍に設けられていることを特徴とする請求項１又は２に記載のシート包装箱。
【請求項４】
前記懸垂板の下端が、幅方向両端部から中央部に向かって下方に傾斜しており、前記第１の突出片及び第２の突出片の幅方向中央部が、前記前面板及び内面板の幅方向中央部に位置していることを特徴とする請求項１又は２に記載のシート包装箱。
【発明の詳細な説明】
【技術分野】
【０００１】
本発明は、長尺シートの捲回ロールを収納し、所望の長さのシートを引き出して切断するシート包装箱に関する。
【背景技術】
【０００２】
従来、ラップフィルムやクッキングシート、アルミホイルなどのシートの包装箱としては、箱形の本体内に収納した捲回ロールから引き出した長尺シートを、本体の前面板と、蓋体の懸垂板との間に挟み、懸垂板の先端縁に設けられた切断刃で切断する包装箱が知られている。例えば、特許文献１には、本体の前面板に突出片を設けることにより、切断後のラップフィルムの先端部を前面板から浮き上がらせて引き出しやすくしたシート包装箱が開示されている。
【先行技術文献】
【特許文献】
【０００３】
【特許文献１】特開２００２−２７４５３４号公報
【発明の概要】
【発明が解決しようとする課題】
【０００４】
特許文献１に記載されている包装箱においては、前面板を上縁から切断して該前面板に突出片を形成することで、突出片が自然に外側に突出してラップフィルムの下端が前面板から浮き上がるように構成されているが、係る突出片が前面板の切断部分に嵌り込んで前面板より突出しない場合があり、ラップフィルムを引き出しやすくする機能が十分に得られていなかった。
【０００５】
また、引き出したシートを良好に切断する際には、手の親指で蓋体の懸垂板を押さえることにより、切断刃をシートに押し当てる必要がある。しかしながら、蓋体の上面板や上面板の前縁を押さえた状態では、懸垂板の下端が浮いて切断刃がシートに十分に押し当てられていないため、シートが縦裂きを起こし、良好に切断できない場合があった。特に、ラップフィルムのように密着性の高いシートで縦裂きを生じた場合には、引き出すことが困難になるという問題があった。
【０００６】
本発明の課題は、上記問題点を解決し、ラップフィルムなどのシートが引き出しやすく、且つ常に良好に切断しうるシート包装箱を提供することにある。
【課題を解決するための手段】
【０００７】
本発明のシート包装箱は、底面板と、前記底面板の四方にそれぞれ折り部を介して連なると共に前記折り部を介して折り曲げて前記底面板より立ち上げられた前面板と左右の側面板と背面板と、前記前面板の上縁に折り部を介して連なると共に前記折り部を介して内側に折り返されて前記前面板の裏面に接着された内面板と、を有し、長尺シートの捲回ロールを収納する箱形の本体と、
前記背面板の上縁に折り部を介して連なると共に前記折り部を介して折り曲げることにより前記本体の上面開口を覆う上面板と、前記上面板の前縁に折り部を介して連なると共に前記折り部を介して折り曲げることにより前記前面板の外側に重なる懸垂板とを有し、前記本体の背面板の上縁から回動可能に連接されている蓋体と、
前記懸垂板の下端に取り付けられた切断刃と、を備え、
前記前面板に、前記前面板の上縁から下方に向かって突出する形状に切断されて形成された第１の突出片を有するシート包装箱において、
前記内面板の前記第１の突出片に重なる領域内に、前記内面板の上縁から下方に向かって突出する形状に切断されて形成された第２の突出片を有し、前記第２の突出片を形成する切断線の両端部が前記内面板と前記前面板とが連なる折り部を越えて前記前面板側にいたることを特徴とする。
【０００８】
本発明のシート包装箱においては、下記の構成を好ましい態様として含む。
前記第２の突出片を形成する切断線の両端部が、前記前面板内において、互いに近づく方向に湾曲していること。
前記懸垂板の下端が、前記懸垂板の上端に平行な直線であり、前記第１の突出片及び第２の突出片が、前記前面板及び内面板の幅方向の少なくとも一方の端部近傍に設けられていること。
前記懸垂板の下端が、幅方向両端部から中央部に向かって下方に傾斜しており、前記第１の突出片及び第２の突出片の幅方向中央部が、前記前面板及び内面板の幅方向中央部に位置していること。
【発明の効果】
【０００９】
本発明のシート包装箱は、前面板に連なる内面板に第２の突出片を設け、係る第２の突出片の切断線の両端部を前面板側に至るまで延ばしたことにより、前面板に設けた第１の突出片が前面板の切断部分に嵌り込んだ場合であっても、係る第２の突出片が形成された内面板の上縁を押すことで第１の突出片を容易に外側に飛び出させることができる。また、シートを切断する際に、蓋体の上面板や該上面板の前縁を押さえた場合であっても、上面板ごしに第２の突出片が形成された内面板の上縁を押すことになり、第１の突出片がより外側に飛び出すように作用することから、切断刃にシートが強く押しつけられることになり、良好にシートを切断することができる。
【図面の簡単な説明】
【００１０】
【図１】本発明のシート包装箱の一実施形態の展開図である。
【図２】本発明のシート包装箱の一実施形態の開封後の蓋体を開けた状態を示す斜視図である。
【図３】図２のシート包装箱の一実施形態の幅方向中央における、幅方向に直交する方向の断面模式図である。
【図４】本発明に係る第１及び第２の突出片の作用を示すための、幅方向に直交する方向の断面模式図である。
【図５】本発明のシート包装箱の一実施形態の開封する様子を示した斜視図である。
【図６】本発明のシート包装箱の一実施形態の側面板付近の拡大斜視図である。
【図７】本発明のシート包装箱の他の実施形態の側面板付近の展開図である。
【図８】図７に示した実施形態の側面板付近の拡大斜視図である。
【発明を実施するための形態】
【００１１】
以下、図面を参照して本発明の実施形態を説明するが、本発明は下記実施形態に限定されない。また、以下に参照する図面において、同じ符号は同様の構成要素を示す。尚、図中の一点鎖線は折り部を示す。また、本発明において「幅方向」及び「左右方向」とは、収納したシートの幅方向であり、図１における紙面上下方向を指す。
【００１２】
本発明に係るシート包装箱を図１〜図８を用いて詳細に説明する。
【００１３】
本発明のシート包装箱は、本体１００と、蓋体２００と、切断刃３００とを備えており、本体１００内にシート４０１の捲回ロール４００を収納して包装体とする。
【００１４】
本発明のシート包装箱は、図１に示すように、切断刃３００以外は１枚のシート材から切り出し、折り曲げて所定の箇所を接着剤等により固定することにより成形することができる。本発明の包装箱に用いられるシート材としては、通常、弾性、柔軟性を有する紙であり、表面に適宜樹脂層をコーティングしたものなども好ましく用いられる。また、切断刃３００は金属、樹脂、紙から別途形成され、蓋体２００の所定の位置に取り付けられる。
【００１５】
また、本発明のシート包装箱に収納されるシート４０１としては、主に食品、調理用のラップフィルムやアルミホイル、クッキングシートであるが、同様のシートであれば特に用途は限定されない。これらシート４０１は長尺シートの形態で提供され、円筒形の芯材に巻き取って、或いは芯材を用いずに円筒形に巻き取って捲回ロール４００とし、本発明のシート包装体の本体１００内に収納される。
【００１６】
図１、図２に示すように、本体１００は底面板１０と、該底面板１０の四方にそれぞれ折り部を介して連なる前面板２０と左右（図１においては紙面上下方向）の側面板３０ａ，３０ｂと背面板４０とを有している。そして、前面板２０と側面板３０ａ，３０ｂと背面板４０とを、それぞれ折り部を介して９０°に折り曲げて底面板１０より立ち上げることにより、箱形の本体１００が形成されている。本実施形態においては、前面板２０の左右に折り部を介して補助片２１ａ，２１ｂを、背面板４０の左右に折り部を介して補助片４１ａ，４１ｂを、それぞれ備えている。よって、前面板２０、側面板３０ａ，３０ｂ、背面板４０をそれぞれ底面板１０から立ち上げた際には、係る補助片２１ａと４１ａとをそれぞれ前面板２０と背面板４０とから折り部を介して９０°に折り曲げて側面板３０ａの内面に、補助片２１ｂと４１ｂとをそれぞれ前面板２０と背面板４０とから折り部を介して９０°に折り曲げて側面板３０ｂの内面に、それぞれ、接着剤を介して貼り付けて固定することができる。
【００１７】
本発明においては、前面板２０の上縁２２が、側面板３０ａ，３０ｂの上縁３２ａ，３２ｂの前面板２０側の端部と同じ位置又は該端部よりも低い位置にある。本実施形態では、図６に示すように、前面板２０の上縁２２が、側面板３０ａ，３０ｂの上縁３２ａ，３２ｂの前面板２０側の端部よりも低い位置にある。本実施形態では、図１に示すように、側面板３０ａ，３０ｂの高さＨ４は一定で背面板４０の高さＨ３と等しい。よって、本実施形態では、図６に示すように、側面板３０ａ，３０ｂの高さＨ４及び背面板４０の高さＨ３が、前面板２０の高さＨ１よりもｈ１だけ高くなっている。
【００１８】
このように、前面板２０の上縁２２が側面板３０ａ，３０ｂの上縁３２ａ，３２ｂよりも低い位置にあることにより、蓋体２００を閉じた場合であっても、上面板５０と前面板２０の上縁２２とが接触せず、ｈ１分の隙間が確保され、シート４０１を無理なく引き出すことができる。ｈ１の高さは１〜３ｍｍ程度が好ましい。
【００１９】
蓋体２００は、本体１００の背面板４０の上縁に折り部を介して連なる上面板５０と、該上面板５０の前縁に折り部を介して連なる懸垂板６０と、を有している。よって、上面板５０を背面板４０から折り部を介して折り曲げ、さらに懸垂板６０を上面板５０から折り部を介して９０°折り曲げて固定することにより、懸垂板６０と上面板５０との境界である折り部の角度が９０°に固定された蓋体２００が成形される。本実施形態では上面板５０の左右に折り部を介して補助片５１ａ，５１ｂを、懸垂板６０の左右に補助片６１ａ，６１ｂを、それぞれ備えている。よって補助片５１ａ，５１ｂを上面板５０から折り部を介して９０°に折り曲げ、同様に補助片６１ａ，６１ｂを懸垂板６０から折り部を介して９０°に折り曲げ、補助片５１ａと６１ａ、５１ｂと６１ｂをそれぞれ貼り合わせることで容易に上記蓋体２００を成形することができる。
【００２０】
蓋体２００には、図２、図３に示すようにシート４０１を切断するための切断刃３００が取り付けられており、該切断刃３００は、懸垂板６０の下端６０ａから切断刃３００の先端が突出するように懸垂板６０の内側に取り付けられる。本実施形態では、懸垂板６０の下端６０ａが、幅方向両端から中央部に向かって下方に傾斜した下向きの山形を形成している。このように懸垂板６０の下端６０ａが下向きの山形の場合、従来は懸垂板６０の幅方向中央を押さえなければシート４０１を切断しにくかったが、本発明においては後述する第２の突出片９１を設けたことにより、より良好にシート４０１を切断することができる。
【００２１】
本実施形態においては、図１に示すように、懸垂板６０の下端６０ａにミシン目８０を介して該懸垂板６０に連なる開封板７０が配置されており、該開封板７０を本体１００の前面板２０に接着剤等によって貼付することで蓋体２００を本体１００に固定する。この時、懸垂板６０の内側に取り付けられた切断刃３００の先端は開封板７０によって覆われ、開封時には図５に示すように、ミシン目８０において開封板７０を切り離すことによって蓋体２００は開放され、切断刃３００の先端が露出してシート４０１の切断が可能となる。
【００２２】
本実施形態では、前面板２０の幅方向の中間部に、前面板２０の上縁２２から下方に向かって突出する形状に切断されて形成された第１の突出片２３を有している。図１中の２３ａは第１の突出片２３を形成する第１の切断線である。第１の突出片２３は第１の切断線２３ａの両端部が前面板２０の上縁２２にまで達しており、該上縁２２を中心に回動して下方が外側に突出し、引き出されたシート４０１を懸垂板６０に押し当てる作用を発現する。また、シート４０１を切断後、次にシート４０１を引き出す際には該シート４０１の先端を前面板２０から浮き上がらせて係る先端をつまみやすくする作用も有している。
【００２３】
本発明は、さらに、前面板２０の上縁２２に折り部を介して連なると共に該折り部を介して内側に折り返されて前面板２０の裏面に接着される内面板９０を有しており、本発明の特徴は、内面板９０に第２の突出片９１が形成されていることにある。第２の突出片９１は、前面板２０に形成された第１の突出片２３に重なる領域に形成されており、内面板９０の上縁（前面板２０の上縁でもある）２２から下方に向かって突出する形状に切断されて形成されている。さらに、第２の突出片９１を形成する第２の切断線９１ａは、内面板９０及び前面板２０の上縁２２であって、両板の境界である折り部を越えて前面板２０側に至っている。図１に示す展開図においては、第１の突出片２３と第２の突出片９１とは互いに逆方向に突出する形状に形成されている。
【００２４】
係る構成において、シート４０１を切断する際に、蓋体２００の上面板５０や上面板５０の前縁を押さえた場合、内面板９０と前面板２０の境界である折り部、即ち上縁２２を上面板５０ごしに押さえることになる。即ち、図４（ａ）に矢印５０１で示されるように上縁２２に押圧力がかかり、折り部が広がる方向に応力が働く。また、蓋体２００を閉じて懸垂板６０を押さえた場合にも、上面板５０が内面板９０の上縁２２を押さえることになり、同様に、折り部が広がる方向に応力が働く。
【００２５】
ここで、第２の突出片９１は図１に示したように、第２の切断線９１ａの両端部が係る上縁２２を越えて前面板２０に至るため、図４（ａ）に矢印５０１で示されるように上縁２２を下方に押すと、該上縁２２を折り部として連なり折り重なっている両側の部材が、互いに離れるように折り部を広げるため、図４（ｂ）に矢印５０２で示されるように、第２の突出片９１の下方がより本体１００の内側に突出する。すると、第２の突出片９１を形成する第２の切断線９１ａの両端部が位置する前面板２０に対しても、上縁２２である折り部を広げる方向に応力が働き、結果として下方に自由端を有する第１の突出片２３の下方が図４（ｂ）に矢印５０３で示されるように、より外側に突出する。
【００２６】
これにより、第１の突出片２３がシート４０１を強く押し上げることになり、シート４０１がより強く切断刃３００に接して、良好にシート４０１を切断することができる。よって、懸垂板６０の幅方向中央部を押さえた場合に限らず、上面板５０や上面板５０と懸垂板６０との境界の折り部を押さえた場合も、上面板５０が内面板５０の上縁２２を押さえることになり、シート４０１が切断刃３００に強く押し当てられて良好に切断することができる。
【００２７】
また、第１の突出片２３が、第１の切断線２３ａによって形成された切断部に嵌り込んだ場合にも、第２の突出片９１の上縁２２を押さえることによって、第１の突出片２３の下端を容易に外側に突出させることができる。
【００２８】
さらに、シート４０１の切断後も、シート４０１に第１の突出片２３が強く接した状態が続くため、シート４０１の巻き戻りが防止され、次に引き出す際にシート４０１の先端を容易につまむことができる。
【００２９】
本実施形態においては、懸垂板６０の下端６０ａが下向きの山形であり、シート４０１の切断が係る山形の頂点、即ち懸垂板６０の幅方向中央部から始まるため、第１の突出片２３と第２の突出片９１の幅方向中央部が、前面板２０及び内面板９０の幅方向中央部に位置するように、第１の突出片２３と第２の突出片９１を形成することが好ましい。
【００３０】
尚、図１，図２には懸垂板６０の下端６０ａが下向きの山形となった形状を示したが、本発明が係る形状に限定されるものではなく、係る下端６０ａが上端に平行な直線状であってもよい。この場合、シート４０１の切断は、懸垂板６０の幅方向の一方の端部から始まるため、第１の突出片２３及び第２の突出片９１は、懸垂板６０の幅方向の少なくとも一方の端部近傍、好ましくは両端部近傍にそれぞれ設けておくことが好ましい。
【００３１】
また、懸垂板６０の下端６０ａの形状にかかわらず、懸垂板６０の外側には、印刷やエンボス、滑り止めニスの塗布等によって、シート４０１の切断時に指で押さえる位置の目印を設けておくことが好ましい。
【００３２】
本発明において、第１の突出片２３の幅Ｗ２は、前面板２０の幅Ｗ１にもよるが、おおむね３０〜２００ｍｍ程度であり、箱の強度を維持するためには、４０〜１００ｍｍ程度が好ましい。第２の突出片９１の幅Ｗ３は第１の突出片２３の幅Ｗ２よりも狭い１５〜１７０ｍｍである。また、第１の突出片２３の高さＨ６は前面板２０の高さＨ１よりも低く、第１の突出片２３の下方に十分な高さが確保され、懸垂板６０に隠れる程度でよく、第２の突出片９１の高さＨ７は上記した第１の突出片２３を外側に押し出す作用が発揮される程度であれば良いため、５〜１０ｍｍ程度でよく、前面板２０側の第２の切断線９１ａの長さＨ８は２〜５ｍｍ程度でよい。
【００３３】
また、頻繁に上縁２２を押すことで第２の切断線９１ａの両端部において前面板２０が裂けるのを防止するため、第２の切断線９１ａの両端部は、図１に示すように、互いに近づく方向に湾曲していることが好ましい。
【００３４】
尚、内面板９０は前面板２０の内側に接着されるが、第２の突出片９１が第１の突出片２３に、第１の突出片２３が内面板９０に、それぞれ接着されないように、第１の突出片２３以外の領域で内面板９０と前面板２０との接着を行うようにする。
【００３５】
本発明においては、図７，図８に示すように、本体１００の側面板３０ａ，３０ｂの上縁３２ａ，３２ｂが、背面板４０側から前面板２０側に向かって下方に傾斜していることも好ましい。即ち、側面板３０ａ，３０ｂの背面板４０側の高さＨ４よりも前面板２０側の高さＨ４’の方がｈ２だけ低くなっている。
【００３６】
本実施形態においては、前面板２０の上縁２２が、側面板３０の上縁３２ａ，３２ｂの前面板２０側の端部と同じ位置又は該端部よりも低い位置にあるため、シート４０１を引き出し、蓋体２００を閉じて上面板５０が側面板３０ａ，３０ｂの上縁３２ａ，３２ｂに接触するように押さえた際には、該上面板５０も上縁３２ａ，３２ｂに沿って背面板４０側から前面板２０側に向かって傾斜する。側面板３０ａ，３０ｂの、上縁３２ａ，３２ｂと前面板２０側の端辺とがなす角部の角度は９０°を超える鈍角となっているのに対し、懸垂板６０は上面板５０から折り部を介して９０°の角度で折り曲げられている。そのため、側面板３０ａ，３０ｂの前面板２０側の端辺に接する懸垂板６０は、上面板５０側よりも先端側（下端６０ａ）においてより強く前面板２０の端辺に押しつけられることになる。
【００３７】
さらに、本発明において、上面板５０の奥行きＤ２は側面板３０ａ，３０ｂ及び底面板１０の奥行きＤ１と等しいか、或いは若干Ｄ２がＤ１より長くなるように形成されている。側面板３０ａ，３０ｂの上縁３２ａ，３２ｂは傾斜した分、Ｄ１，Ｄよりも若干長くなっているため、該上縁３２ａ，３２ｂに上面板５０が接触して蓋体２００が閉じられた際、上面板５０は奥行き方向に引っ張られることになり、懸垂板６０が強く前面板２０の端辺に押しつけられることになる。
【００３８】
懸垂板６０の左右が強く側面板３０ａ，３０ｂの端辺に押しつけられることにより、懸垂板６０全体は隙間なく強く前面板２０に押しつけられることになり、該懸垂板６０の下端６０ａの内側に取り付けられた切断刃３００は、先端が本体１００の内側に向かって前面板２０に強く押しつけられることになる。よって、シート４０１を切断する際には、前面板２０に形成された第１の突出片２３とシート４０１と切断刃３００の先端とが互いに強く密着し、良好にシート４０１を切断することができる。
【００３９】
本実施形態において、側面板３０ａ，３０ｂの傾斜の程度、即ち側面板３０ａ，３０ｂの底面板に平行な方向の奥行きＤ１に対する、上縁３２ａ，３２ｂの前後の高さの差ｈ２の割合（ｈ２／Ｄ１）は、小さすぎると切断刃３００の先端をシート４０１に押しつける力が十分に得られず、また、大きすぎると上面板５０が側面板３０ａ，３０ｂの上縁３２ａ，３２ｂに接触しづらくなり、逆にシート４０１を切断しにくくなる。シート４０１の種類や包装体の材質、収納する捲回ロール４００の外径に応じたＤ１の値にもよるが、好ましくはｈ２／Ｄ１＝０．０２２〜０．０６７である。例えば、広く販売されているアルミホイルやラップフィルムの包装箱でＤ１＝４５ｍｍの場合、ｈ２は１．０〜３．０ｍｍ程度が好ましい。
【００４０】
また、本実施形態においては、側面板３０ａ，３０ｂの上縁３２ａ，３２ｂには、該上縁３２ａ，３２ｂを折り部として連なる補助片３１ａ，３１ｂを備えていることから、該上縁３２ａ，３２ｂは該補助片３１ａ，３１ｂがない場合よりも強度が向上している。
【００４１】
さらに、前記したように、本実施形態においては、開封板７０を用いることで開封直前まで切断刃３００を露出させずにおき、開封板７０を切り離すことで容易に包装体を開封することができる。ここで、懸垂板６０と開封板７０との高さの合計Ｈ５を背面板４０の高さＨ３と等しくしておくことで、包装箱を組み立てる際に、開封板７０の先端を前面板２０の下端に合わせて貼付すれば、側面板３０ａ，３０ｂの上縁３２ａ，３２ｂが傾斜していても、上面板５０は前後で傾斜しない。また、Ｈ５とＨ３とが等しくなくても、Ｈ５＜Ｈ３であれば、開封板７０を前面板２０に貼付する際に、開封板７０の先端を前面板２０の下端からずらすことで上面板５０を底面板１０と平行にすることができる。
【００４２】
このように、上面板５０を底面板１０と平行になるように組み立てることで包装体の形状を直方体とすることができる。その結果、従来の包装体と同様に、垂直方向に積み上げても滑り落ちる恐れがなく、従来と同様に輸送、陳列を行うことができる。
【００４３】
本発明のシート包装箱は、上記したように、切断刃３００の先端が前面板２０に強く密着するため、捲回ロール４００から引き出したシート４０１を所望の位置で切り始めから最後まで直線状に良好に切断することができる。また、包装体としては直方体であるため、輸送や陳列に際して従来の包装体と同様に取り扱うことができる。
【符号の説明】
【００４４】
１０：底面板、２０：前面板、２１ａ，２１ｂ：補助片、２２：前面板の上縁、２３：第１の突出片、２３ａ：第１の切断線、３０ａ，３０ｂ：側面板、３１ａ，３１ｂ：補助片、３２ａ，３２ｂ：側面板の上縁、４０：背面板、４１ａ，４１ｂ：補助片、５０：上面板、５１ａ，５１ｂ：補助片、６０：懸垂板、６０ａ：懸垂板の下端、６１ａ，６１ｂ：補助片、７０：開封板、８０：ミシン目、９０：内面板、９１：第２の突出片、９１ａ：第２の切断線、１００：本体、２００：蓋体、３００：切断刃、４００：捲回ロール、４０１：シート
【図１】
2016049992.tif 000003
【図２】
2016049992.tif 000004
【図３】
2016049992.tif 000005
【図４】
2016049992.tif 000006
【図５】
2016049992.tif 000007
【図６】
2016049992.tif 000008
【図７】
2016049992.tif 000009
【図８】
2016049992.tif 000010